(57)【要約】【課題】記録媒体に記録されたデータの不正漏洩を防止する。【解決手段】データ記録再生装置１におけるコントローラ２４は、施錠状態にある場合、鍵カートリッジ８１から鍵コードを読み出し鍵コードメモリ２２に格納し、この鍵コードを使用して記録先となる記録カートリッジ９１にデータを記録する。また、コントローラ２４は、記録カートリッジからデータを再生する際、装着された記録カートリッジに記録されたデータ内に鍵コードメモリ２２に読み出した鍵コードと同一鍵コードが含まれるか否かに応じてデータを再生する。再生しようとするデータが記録された記録カートリッジが鍵コードＢを記憶した鍵カートリッジで施錠された装置で記録されたデータであるとき、或いは同一の装置であっても鍵コードＢを記憶した鍵カートリッジで施錠状態に設定されたときに記録されたデータであるとき、鍵コードＡで施錠された装置では再生できない。同一の装置であっても鍵コードＡで施錠状態に設定されているときには再生できない。【選択図】図２
2006073072.tif 000002
【特許請求の範囲】
【請求項１】
記録媒体に対してデータを記録するデータ記録装置において、
媒体固有の鍵情報が予め格納された鍵記録媒体から鍵情報を読み出す鍵情報読出手段と、
上記鍵情報読出手段によって上記鍵記録媒体から読み出した鍵情報を格納する鍵情報記憶手段と、
上記鍵情報記憶手段に格納された鍵情報を使用して上記記録媒体にデータを記録するよう制御する記録制御手段と
を備えることを特徴とするデータ記録装置。
【請求項２】
上記鍵記録媒体は、メモリ付き記録媒体であって、上記鍵情報は、該メモリに格納されていることを特徴とする請求項１記載のデータ記録装置。
【請求項３】
上記鍵記録媒体は、上記記録媒体と同種別体であって上記鍵情報が該記録媒体のデータ記録領域に記録されていることを特徴とする請求項１記載のデータ記録装置。
【請求項４】
上記記録制御手段は、上記鍵記録媒体に対する記録禁止措置の有無に基づいて上記鍵情報を使用して記録するか否かを決定することを特徴とする請求項１記載のデータ記録装置。
【請求項５】
記録媒体からデータを再生するデータ再生装置において、
媒体固有の鍵情報が格納された鍵記録媒体から鍵情報を読み出す鍵情報読出手段と、
上記鍵情報読出手段によって鍵記録媒体から読み出した鍵情報を格納する鍵情報記憶手段と、
上記鍵情報記憶手段に格納された鍵情報に応じて上記記録媒体からデータを再生するよう制御する再生制御手段と
を備えることを特徴とするデータ再生装置。
【請求項６】
上記鍵記録媒体は、メモリ付き記録媒体であって、上記鍵情報は、該メモリに格納されていることを特徴とする請求項５記載のデータ再生装置。
【請求項７】
上記鍵記録媒体は、上記記録媒体と同種別体であって上記鍵情報が該記録媒体のデータ記録領域に記録されていることを特徴とする請求項５記載のデータ再生装置。
【請求項８】
上記再生制御手段は、上記鍵情報記憶手段に格納された鍵情報と上記記録媒体に記録されたデータに含まれる鍵情報とを比較し、同一である場合にのみ該記録媒体に記録されたデータを再生することを特徴とする請求項５記載のデータ再生装置。
【請求項９】
記録媒体にデータを記録するデータ記録装置又は記録媒体からデータを再生するデータ再生装置を使用して記録又は再生が可能となる他の記録媒体への記録又は再生処理を規制するための鍵情報が記録された記録媒体。
【請求項１０】
メモリ付き記録媒体であって、上記鍵情報が該メモリに格納されていることを特徴とする請求項９記載の記録媒体
【請求項１１】
上記他の記録媒体と同種別体であって上記鍵情報が該記録媒体のデータ記録領域に記録されていることを特徴とする請求項９記載の記録媒体。
【請求項１２】
記録媒体に対してデータを記録するデータ記録方法において、
媒体固有の鍵情報が予め格納された鍵記録媒体から鍵情報を読み取る鍵情報読取工程と、
上記鍵情報読取工程によって鍵記録媒体から読み出した鍵情報を鍵情報メモリに格納する鍵情報記憶工程と、
上記鍵情報メモリに格納された鍵情報を使用して上記記録媒体にデータを記録するデータ記録工程と
を有することを特徴とするデータ記録方法。
【請求項１３】
上記データ記録工程は、上記鍵記録媒体が挿入されたとき上記鍵情報メモリに記憶された鍵情報を使用して上記記録媒体にデータを記録する施錠状態とし、次回同一の鍵情報を有する鍵記録媒体が挿入されたとき上記鍵情報を使用しないで上記記録媒体にデータを記録する解錠状態とすることを特徴とする請求項１２記載のデータ記録方法。
【請求項１４】
記録媒体からデータを再生するデータ再生方法において、
媒体固有の鍵情報が予め格納された鍵記録媒体から鍵情報を読み取る鍵情報読取工程と、
上記鍵情報読取工程によって鍵記録媒体から読み出した鍵情報を鍵情報メモリに格納する鍵情報記憶工程と、
上記鍵情報メモリに格納された鍵情報に応じて上記記録媒体にデータを再生するデータ再生工程と
を有することを特徴とするデータ再生方法。
【請求項１５】
上記データ再生工程は、上記鍵情報メモリに格納された鍵情報と上記記録媒体に記録されたデータに含まれる鍵情報とを比較し、同一である場合にのみ該記録媒体に記録されたデータを再生することを特徴とする請求項１４記載のデータ再生方法。
【発明の詳細な説明】
【技術分野】
【０００１】
本発明は、記録媒体に対してデータを記録するデータ記録装置及びこの記録媒体からデータを再生するデータ再生装置、並びにデータ記録方法及びデータ再生方法に関し、特に、記録媒体にデータを保護して記録するデータ記録装置及びこの方法、記録媒体から保護されたデータを再生するデータ再生装置及びこの方法に関する。
【背景技術】
【０００２】
デジタル化技術の普及に伴い、音楽データ、映像データ等からなる各種コンテンツデータがデジタル的に記録媒体に記録され再生されるようになってきた。パーソナルコンピュータ等の情報処理装置を使用すれば、ＣＤ（Compact Disc）、ＤＶＤ（Digital Versatile Disc）等の記録媒体から記録されたコンテンツをリッピングしたり、ダビングしたりすることが簡単になり、またネットワークを介してダウンロードした音楽コンテンツ及び映像コンテンツをハードディスク等の内蔵記録媒体に記録し管理することができるようになった。近年では、パーソナルコンピュータのハードディスクの大容量化も進んできており、ユーザは、膨大なコンテンツを管理できるようになってきた。
【０００３】
しかし、デジタルデータを扱う機器によっては、ＣＤ、ＤＶＤ、ハードディスク等に記録したコンテンツのデータの複製等が簡単に何回でも行えるため、コンテンツが不正利用され、著作権の保護に悪影響を及ぼしていることが社会問題にもなっている。
【０００４】
そこで、データをそのまま記録するのではなく、単に再生しても記録内容が把握できないように一定の方式に基づいてスクランブルして記録する手法が提案されている（特許文献１参照）。特許文献１に記載された技術では、メモリ付きカセット（Memory In Cassette）を使用し、利用者によって入力された個人データとメモリ付きカセットのメモリに書き込まれているスクランブルキーとが一致しないと、メモリ付きカセットの磁気テープに記録されたスクランブルされたデータが読み出せないようにすることによって、利用者以外によるコンテンツの使用を制限している。
【０００５】
【特許文献１】特開平６−４４７４０号公報
【発明の開示】
【発明が解決しようとする課題】
【０００６】
しかし、上述した技術では、記録媒体に一体化されたメモリにスクランブルキーが記憶されているため、記録するコンテンツを単にスクランブルしても個人データが判ってしまえば、メモリ付きカセットに記録されたスクランブルデータが再生できてしまう。
【０００７】
そこで本発明は、上述した従来の実情に鑑みて提案されたものであり、記録媒体に記録されたコンテンツを不正利用から保護し漏洩を防止することができる記録媒体、及びこの記録媒体にデータを保護して記録するデータ記録装置とその方法、保護されたデータを再生するデータ再生装置とその方法を提供することを目的とする。
【課題を解決するための手段】
【０００８】
上述した目的を達成するために、本発明に係るデータ記録装置は、媒体固有の鍵情報が予め格納された鍵記録媒体から鍵情報を読み出す鍵情報読出手段と、鍵情報読出手段によって鍵記録媒体から読み出した鍵情報を格納する鍵情報記憶手段と、鍵情報記憶手段に格納された鍵情報を使用して記録媒体にデータを記録するよう制御する記録制御手段とを備え、鍵記録媒体に格納された鍵情報を使用して別の記録媒体にデータを記録する。
【０００９】
鍵記録媒体としては、メモリ付き記録媒体を用いることができ、鍵情報をメモリに格納する。また、鍵記録媒体は、記録媒体と同種別体であってもよく、この場合には鍵情報を記録媒体のデータ記録領域に記録する。また、記録制御手段は、鍵記録媒体に対する記録禁止措置の有無に基づいて鍵情報を使用して記録するか否かを決定することができる。
【００１０】
上述した目的を達成するために、本発明に係るデータ再生装置は、媒体固有の鍵情報が格納された鍵記録媒体から鍵情報を読み出す鍵情報読出手段と、鍵情報読出手段によって鍵記録媒体から読み出した鍵情報を格納する鍵情報記憶手段と、鍵情報記憶手段に格納された鍵情報に応じて記録媒体からデータを再生するよう制御する再生制御手段とを備え、鍵記録媒体に格納された鍵情報に応じて別の記録媒体からのデータの再生を制御する。
【００１１】
鍵記録媒体としては、メモリ付き記録媒体を用いることができ、鍵情報をメモリに格納する。また、鍵記録媒体は、記録媒体と同種別体であってもよく、この場合には鍵情報を記録媒体のデータ記録領域に記録する。再生制御手段は、鍵情報記憶手段に格納された鍵情報と記録媒体に記録されたデータに含まれる鍵情報とを比較し、同一である場合にのみ該記録媒体に記録されたデータを再生する。
【００１２】
上述した目的を達成するために、本発明に係る記録媒体は、データを記録するデータ記録装置又は記録媒体からデータを再生するデータ再生装置を使用して記録又は再生が可能となる他の記録媒体への記録又は再生処理を規制するための鍵情報が記録されていることを特徴とする。本発明に係る記録媒体としては、メモリ付き記録媒体、或いは上記他の記録媒体と同種の記録媒体が使用できる。鍵情報は、メモリ付き記録媒体の場合には付属のメモリに格納され、同種の記録媒体を使用する場合には記録媒体のデータ記録領域に記録される。
【００１３】
上述した目的を達成するために、本発明に係るデータ記録方法は、媒体固有の鍵情報が予め格納された鍵記録媒体から鍵情報を読み取る鍵情報読取工程と、鍵情報読取工程によって鍵記録媒体から読み出した鍵情報を鍵情報メモリに格納する鍵情報記憶工程と、鍵情報メモリに格納された鍵情報を使用して記録媒体にデータを記録するデータ記録工程とを有し、鍵記録媒体に格納された鍵情報を使用して別の記録媒体にデータを記録する。
【００１４】
ここで、データ記録工程は、鍵記録媒体が挿入されたとき鍵情報メモリに記憶された鍵情報を使用して記録媒体にデータを記録する施錠状態とし、次回同一の鍵情報を有する鍵記録媒体が挿入されたとき鍵情報を使用しないで記録媒体にデータを記録する解錠状態とする。
【００１５】
また、上述した目的を達成するために、本発明に係るデータ再生方法は、媒体固有の鍵情報が予め格納された鍵記録媒体から鍵情報を読み取る鍵情報読取工程と、鍵情報読取工程によって鍵記録媒体から読み出した鍵情報を鍵情報メモリに格納する鍵情報記憶工程と、鍵情報メモリに格納された鍵情報に応じて記録媒体にデータを再生するデータ再生工程とを有し、鍵情報メモリに格納された鍵情報と記録媒体に記録されたデータに含まれる鍵情報とを比較し、同一である場合にのみ該記録媒体に記録されたデータを再生する。
【００１６】
ここでデータ再生工程は、鍵情報メモリに格納された鍵情報と記録媒体に記録されたデータに含まれる鍵情報とを比較し、同一である場合にのみ該記録媒体に記録されたデータを再生する。
【発明の効果】
【００１７】
本発明に係るデータ記録装置及びデータ記録方法によれば、記録媒体にデータを記録する際に鍵記録媒体に格納されていた鍵情報が使用され、このデータを再生する際に同一の鍵情報をもった鍵記録媒体が必要になるため、コンテンツを不正利用から保護しコンテンツの漏洩を防止することができる。
【００１８】
また、本発明に係るデータ再生装置及びデータ再生方法によれば、記録媒体からデータを再生する際にデータに含まれる鍵情報が鍵記録媒体から読み出された鍵情報と比較される。データの再生には同一の鍵情報をもった鍵記録媒体が必要になるため、コンテンツを不正利用から保護しコンテンツの漏洩を防止することができる。
【００１９】
また、本発明に係る記録媒体によれば、鍵情報が格納された当該記録媒体を使用して記録されたデータを記録又は再生するには、データ記録装置又はデータ再生装置が当該記録媒体を一旦挿入することで鍵情報を読み出して施錠状態になっている必要があるため、コンテンツを不正利用から保護しコンテンツの漏洩を防止することができる。
【発明を実施するための最良の形態】
【００２０】
本発明の実施例として示すデータ記録再生装置は、鍵情報が格納された記録媒体から鍵情報を読み出し、読み出した鍵情報を使用してデータを記録することにより、次回データを再生する際には再生しようとするデータが同一の鍵情報をもたなければ再生できないようにすることで記録媒体に記録されたデータを保護することを特徴としている。
【００２１】
本実施例では、鍵情報が格納された記録媒体を鍵記録媒体と定義する。データ記録再生装置には、通常の記録モードと、この鍵情報を使用することでデータを保護して記録する記録モードとが用意されており、以下ではデータ記録再生装置がこの鍵情報を用いてデータを記録する或いは再生する状態にあることを“施錠状態”と定義する。また、鍵情報を使用しないで通常の記録再生を行う状態にあることを“解錠状態”と定義する。データには、音声データ及び映像データを含むコンテンツデータ、コンピュータ等で扱われるデータ等が含まれる。
【００２２】
鍵記録媒体は、記録媒体へデータを記録する際に使用する鍵情報（以下、鍵コードと記す。）を格納している。鍵記録媒体としては、例えば、ＣＤ（Compact Disc）、ＤＶＤ（Digital Versatile Disc）、ＬＴＯ（Linear Tape-Open）、ＤＤＳ（Digital Data Storage）、ＤＡＴ（Digital Audio Tape-recorder）、ＤＬＴ（Digital Linear Tape）等、特に限定されず使用できるが、汎用性及び互換性を考慮すると、鍵記録媒体は、データの記録先となる記録媒体と同一種であって同一の再生機構で鍵コードを読み出せるようになっていることが好ましい。
【００２３】
本実施例では、記録媒体としての磁気記録テープが筐体（カートリッジ）内部に納められ、カートリッジの所定位置に半導体メモリが装備された、いわゆるメモリ付きカセット（Memory In Cassette：ＭＩＣ）型の記録媒体を使用する。メモリ付きカセットの場合、鍵コードを筐体外部のメモリに格納することができる。例えば、カートリッジ毎にユニークに割り当てられた鍵コードを、クリーニングデータ、データテープ等のテープ種類が記述される領域、或いはこれ以外のユーザ領域に製造時に記憶して提供する。
【００２４】
鍵情報によって施錠状態に設定されたデータ記録再生装置は、（１）データの記録先となる記録媒体に鍵コード、鍵コードの一部、或いは鍵コードに符号化等のデータ変換を施して得られるデータ等を記録して記録再生処理を行う際に比較する。または（２）鍵コードを使用して記録先の記録媒体に記録しようとするデータを鍵コードを用いて更に暗号化し、再生する際には同一の鍵コードを用いて暗号復号化する、等の手法によってデータの記録時又は再生時にデータを保護する。
【００２５】
上述したように、鍵記録媒体にはデータ記録再生装置に対して施錠状態又は解錠状態を設定するための鍵コードが含まれていればよい。したがって、鍵記録媒体には記録媒体であるテープリールが装着されていなくてもよい。鍵記録媒体は、ＭＩＣに鍵コードが記録されテープリールを含まない状態で“鍵”として使用するだけのカートリッジとして製造販売されてもよいし、記録可能なテープリールが装着された“鍵”兼“記録媒体”として使用できるカートリッジとして製造販売されてもよい。
【００２６】
このように、鍵コードを供給する手法としてＭＩＣ等の既存の技術基盤を使用することによって、新規システム導入にかかる経費、拡充に要する時間浪費等を大幅に節約できて有益である。
【００２７】
一方、鍵コードを格納する鍵記録媒体として使用可能な記録媒体のうち、ＣＤ、ＤＶＤのように記録媒体が筐体に保護されず直接露呈した状態で記録再生できる種類では、すなわちＭＩＣが装着できないタイプの記録媒体では、鍵コードは、データ記録領域の一部に記録される。この場合も同様、製造時にデータ記録領域のうちクリーニングデータ、データテープ等のテープ種類が記述される領域或いはメーカーコード等を記録することのできる領域に記録媒体毎にユニークに割り当てられた鍵コードを記録する。またこの場合も、“鍵”としてのみ使用するものと、“鍵”兼“記録媒体”として使用できるものとが提供されてもよい。
【００２８】
以下、本発明の実施例について図面を参照して詳細に説明する。図１に、本発明の第１の実施例として示すデータ記録再生装置を示す。図１に示すデータ記録再生装置１では、鍵コードを供給する記録媒体としてメモリ付きカセットを使用する。以下では、鍵記録媒体を鍵カートリッジ８１と記し、データを記録しようとする記録媒体を記録カートリッジ９１と記す。鍵カートリッジ８１はメモリ８２を備え、ここに鍵コードが記憶されている。上述したように、鍵カートリッジ８１は、テープリールを備えずメモリに鍵コードが記録された“鍵”専用タイプであってもよいし、テープリールが装着され“鍵”兼“記録媒体”タイプであってもよい。なお、記録カートリッジ９１も同様のメモリを備えていてもよい。
【００２９】
データ記録再生装置１は、データを記録する構成として、データを記録のための所定形式に圧縮するデータ圧縮部１１と、鍵情報に基づいて記録データを暗号化する暗号化部１２と、暗号化したデータを誤り訂正符号化する誤り訂正符号化部１３と、チャネルコーディング部１４と、記録カートリッジ９１内の磁気記録テープにデータを記録する記録ヘッド１５とを備える。
【００３０】
データを再生する構成としては、記録カートリッジ９１内の磁気記録テープから記録信号を再生する再生ヘッド１６と、再生ヘッド１６で再生した信号から再生信号を検出する再生信号検出器１７と、検出されたデータを誤り訂正復号する誤り訂正復号部１８と、復号されたデータを暗号復号化する暗号復号化部１９と、暗号復号化されたデータを伸長するデータ伸長部２０とを備えている。ここでの暗号化方式としては、汎用の暗号化方式、ＡＥＳ（Advanced Encryption Standard）等をあげることができる。
【００３１】
また、データ記録再生装置１は、鍵カートリッジ８１のメモリ８２から鍵コードを読み出す鍵情報読出手段としてのＭＩＣインタフェイス２１と、鍵カートリッジ８１から読み出した鍵コードを格納する鍵情報記憶手段としての鍵コードメモリ２２とを備えている。
【００３２】
以上の基本的な構成のほかに、コンピュータデータを扱う場合には、データ記録再生装置１は、ホストコンピュータに接続するインタフェイスとして、ＳＣＳＩ、シリアルＳＣＳＩ（ＦｉｂｒｅＣｈａｎｎｅｌ）等の汎用のインタフェイス２３を備える。また、データを入力する構成として外部からコンテンツを入力するためのアンテナ及びチューナ等の放送信号受信装置等を接続することもできる。また、データを出力する構成として表示装置等を接続できる。このほかに図示しないが、いわゆるインターネット等のネットワークに接続する接続インタフェイスが設けられていてもよい。上述した各構成は、コントローラ２４によって統括管理されている。
【００３３】
コントローラ２４は、データ記録再生装置１を施錠状態にするか解錠状態にするかを鍵カートリッジ８１の装着時に判別し、施錠状態に設定する場合、鍵カートリッジ８１のメモリ８２から鍵コードを読み出し鍵コードメモリ２２に格納する。コントローラ２４は、スイッチＳＷ３１を暗号化部１２側に切り替えて、鍵コードメモリ２２に格納された鍵コードを使用してデータを暗号化し、記録先となる記録カートリッジ９１に暗号化したデータを記録するよう制御している。また、コントローラ２４は、記録カートリッジからデータを再生する際、鍵コードメモリ２２に鍵コードが格納されていれば、装着された記録カートリッジに記録されたデータ内に同一の鍵コードに対応する情報が含まれるか否かに応じてデータを再生するように制御している。
【００３４】
例えば、コントローラ２４は、データ記録再生装置１が施錠状態下にあるときに、すなわち鍵コードメモリ２２に鍵コードが格納されているときに、挿入された記録カートリッジからデータを再生する場合、鍵コードメモリ２２に格納された鍵コードと再生しようとする記録カートリッジに記録されたデータに含まれる鍵コードとを比較する。鍵コードが同一である場合或いはデータが同一の鍵コードを用いて暗号化されている場合、スイッチＳＷ３２を暗号復号化部１９側に切り替えることで装着された記録カートリッジに記録されたデータを再生することができる。そのため、例えば、再生しようとするデータが記録された記録カートリッジが鍵コードＢを記憶した鍵カートリッジで施錠された装置で記録されたデータであるとき、或いは同一の装置であっても鍵コードＢを記憶した鍵カートリッジで施錠状態に設定されたときに記録されたデータであるときには、鍵コードＡで施錠された装置では再生できないことになる。また、同一の装置であっても鍵コードＡで施錠状態に設定されているときには再生できないことになる。
【００３５】
データ記録再生装置１が記録カートリッジに対して記録再生可能なドライブ部を複数有する場合には、複数ドライブを１つの鍵カートリッジで同時に施錠することもできる。施錠状態は、施錠に使用した鍵コードが格納された鍵カートリッジを使用して解錠することができる。
【００３６】
図１に示すデータ記録再生装置１は、暗号化部１２と暗号復号化部１９とを備えた、上述した（２）の手法を実現したものであり、データ保護上、より効果的であるが、本発明の典型的な実施例としては、鍵コードを用いて記録データを暗号化しなくてもよい。
【００３７】
暗号化部１２と暗号復号化部１９とを備えない場合、コントローラ２４は、（１）の手法による。データを記録する際、コントローラ２４は、鍵カートリッジ８１のメモリ８２から鍵コードを読み出し鍵コードメモリ２２に格納する。コントローラ２４は、鍵コードメモリ２２に格納された鍵コードを使用して記録先となる記録カートリッジ９１にデータを記録する。このとき、記録先となる記録カートリッジ９１の外部メモリ或いは記録領域のプレローディングエリア等に鍵コード、鍵コードの一部、或いは鍵コードに符号化等のデータ変換を施して得られるデータ等を記録する。
【００３８】
コントローラ２４は、データ記録再生装置１が施錠状態下にあるときに、すなわち鍵コードメモリ２２に鍵コードが格納されているときに、挿入された記録カートリッジからデータを再生する場合、鍵コードメモリ２２に格納された鍵コードと再生しようとする記録カートリッジに記録された鍵コードとを比較し、鍵コードが含まれなければ再生できないようにする。
【００３９】
データ記録再生装置１が施錠状態に移行するか解錠状態で通常の記録再生を行うかを設定する手法としては、一例として、メモリ８２に記述された記録禁止フラグ、又は筐体の一部に設けられた切替爪等によって設定される記録禁止措置（ライトプロテクト）の有無を用いることができる。コントローラ２４は、ライトプロテクトされた鍵カートリッジが装着されたとき鍵コードを鍵コードメモリ２２に格納して施錠状態に設定し、鍵カートリッジがライトプロテクトされていないときには解錠状態に設定する。
【００４０】
以下では、鍵カートリッジによってデータ記録再生装置１を施錠状態又は解錠状態にする処理について図２を用いて説明する。
【００４１】
データ記録再生装置１におけるコントローラ２４は、装着されたカートリッジが鍵カートリッジか否か判別する（ステップＳ１）。装着されたカートリッジが記録カートリッジのとき、図３を用いて説明する記録再生処理に移行する。装着されたカートリッジが鍵カートリッジのとき、コントローラ２４は、鍵カートリッジがライトプロテクトされているか否か判別する（ステップＳ２）。
【００４２】
ライトプロテクトされている場合（ステップＳ２、ｙｅｓ）、コントローラ２４は、ドライブが施錠状態に設定されているかを判別する（ステップＳ３）。施錠状態であれば（ステップＳ３、ｙｅｓ）、鍵カートリッジをイジェクトして終了する（ステップＳ８）。施錠状態でなければ（ステップＳ３、ｎｏ）、コントローラ２４は、鍵カートリッジのメモリに格納された鍵コードを鍵コードメモリ２２に読み出し、この鍵コードを用いてデータ記録再生装置１を施錠状態とする（ステップＳ４）。データ記録再生装置１を施錠した後、鍵カートリッジをイジェクトして終了する（ステップＳ８）。
【００４３】
一方、ライトプロテクトされていない場合（ステップＳ２、ｎｏ）、コントローラ２４は、ドライブが施錠状態に設定されているかを判別する（ステップＳ５）。施錠状態でなければ（ステップＳ５、ｎｏ）、鍵カートリッジをイジェクトして終了する（ステップＳ８）。施錠状態であれば（ステップＳ５、ｙｅｓ）、コントローラ２４は、鍵カートリッジの鍵コードが鍵コードメモリ２２に格納された鍵コードであるかを判別する（ステップＳ６）。鍵カートリッジの鍵コードと鍵コードメモリ２２の鍵コードとが一致する場合（ステップＳ６、ｙｅｓ）、コントローラ２４は、解錠状態に設定し（ステップＳ７）、鍵カートリッジをイジェクトして終了する（ステップＳ８）。鍵カートリッジの鍵コードと鍵コードメモリ２２の鍵コードとが一致しない場合（ステップＳ６、ｎｏ）、コントローラ２４は、鍵カートリッジをイジェクトして終了する（ステップＳ８）。
【００４４】
次に、装着されたカートリッジが記録カートリッジである場合に実行されるデータ記録再生装置１における記録カートリッジの記録再生処理について図３を用いて説明する。
【００４５】
データ記録再生装置１におけるコントローラ２４は、データを記録する場合（ステップＳ１１、記録）には、ドライブが施錠状態に設定されているかを判別する（ステップＳ１２）。施錠状態でなければ（ステップＳ１２、ｎｏ）、データの記録先である記録カートリッジに通常の記録を実行する（ステップＳ１３）。施錠状態であれば（ステップＳ１２、ｙｅｓ）、コントローラ２４は、鍵コードメモリ２２に格納された鍵コードによってデータを暗号化しながら記録カートリッジに記録する（ステップＳ１４）。
【００４６】
一方、データを再生する場合（ステップＳ１１、再生）、コントローラ２４は、データ記録再生装置１が施錠状態に設定されているかを判別する（ステップＳ１５）。施錠状態であれば（ステップＳ１５、ｙｅｓ）、コントローラ２４は、鍵コードメモリ２２に格納されている鍵コードと記録カートリッジに記録された鍵コードとを比較する（ステップＳ１６）。鍵コードが同一であれば（ステップＳ１６、ｙｅｓ）、装着された記録カートリッジを施錠状態で再生する（ステップＳ１７）。ここで鍵コードが同一でなければ（ステップＳ１６、ｎｏ）、コントローラ２４は、例えば、装着されたカートリッジをイジェクトして終了する（ステップＳ２０）。ここでは、表示装置において鍵コードが異なるため再生できない旨を表示してもよい。
【００４７】
また、データ記録再生装置１が施錠状態でないとき（ステップＳ１５、ｎｏ）、コントローラ２４は、記録カートリッジに鍵コードが記録されているか否かを判別する（ステップＳ１８）。鍵コードが記録されてなければ（ステップＳ１８、ｙｅｓ）、記録カートリッジに記録されたデータを通常の方法で再生する（ステップＳ１９）。鍵コードが記録されていれば（ステップＳ１８、ｙｅｓ）、コントローラ２４は、例えば、装着されたカートリッジをイジェクトして終了する（ステップＳ２０）。鍵コードが異なるため再生できない旨を表示してもよい。
【００４８】
以上説明したように、データ記録再生装置１は、まず鍵カートリッジに格納された鍵コードを鍵コードメモリ２２に読み出して、この鍵コードによって施錠状態に設定された場合には、施錠状態下で記録したデータは、同一の鍵コードによって施錠状態にある場合にのみ使用可能になるため、パッケージメディアに記録された情報が不正に使用されることを防ぐことができる。また、データの漏洩防止に役立つ。更に、実施例を用いて説明したように、既存のシステムを利用して発展的な情報管理ができて有益である。
【産業上の利用可能性】
【００４９】
本発明の実施例として説明したデータ記録再生装置は、メモリ付きカセットに対して応用したものであるが、データ記録再生装置を施錠するための鍵コードを、この装置で記録再生可能な記録媒体と同一のローディング機構によって読み出せる構成になっていれば、ＭＩＣに限定されない。例えば、ＲＦＩＤタグ等の無線通信タグであってもよい。
【図面の簡単な説明】
【００５０】
【図１】本発明の実施例として示すデータ記録再生装置を説明する構成図である。
【図２】本発明の実施例として示すデータ記録再生装置が施錠状態又は解錠状態に設定される処理を説明するフローチャートである。
【図３】本発明の実施例として示すデータ記録再生装置が鍵コードを用いて記録カートリッジに記録する処理及び再生する処理を説明するフローチャートである。
【符号の説明】
【００５１】
１    データ記録再生装置、  １１    データ圧縮部、  １２    暗号化部、
１３    誤り訂正符号化部、  １４    チャネルコーディング部、
１５    記録ヘッド、  １６    再生ヘッド、  １７    再生信号検出器、
１８    誤り訂正復号部、  １９    暗号復号化部、  ２０    データ伸長部、
２１    ＭＩＣインタフェイス、  ２２    鍵コードメモリ、
２３    インタフェイス、  ２４    コントローラ
【図１】
2006073072.tif 000003
【図２】
2006073072.tif 000004
【図３】
2006073072.tif 000005